(57)【要約】【課題】本体転倒時に熱湯の流出を防止できる加湿器を提供する。【解決手段】吸気口１０を有する本体１内に設けられた水タンク２、この水タンク２からの水を受ける水受部５、この水受部５の給水口２７を介して供給された水を加熱する蒸発皿６、この蒸発皿６内から発生する蒸気を案内する蒸気案内筒９、吸気口１０から空気を取り込む送風ファン１１、この送風ファン１１から送られる空気を案内する空気案内筒１２、蒸気案内筒９からの蒸気と空気案内筒１２からの空気を混合させる混合室１４及びこの混合室１４からの蒸気を外部に放出する吹出口１５、水受部５の給水口２７に、通常運転時には開き、本体１の転倒時には閉じる逆止弁機構１６を備えている。【選択図】図１
2006189221.tif 000002
【特許請求の範囲】
【請求項１】
吸気口を有する本体、この本体内に設けられた水タンク、この水タンクからの水を受ける水受部、この水受部の給水口を介して供給された水を加熱する蒸発皿、この蒸発皿内から発生する蒸気を案内する蒸気案内筒、前記吸気口から空気を取り込む送風ファン、この送風ファンから送られる空気を案内する空気案内筒、前記蒸気案内筒からの蒸気と前記空気案内筒からの空気を混合させる混合室及びこの混合室からの蒸気を外部に放出する吹出口を備えた加湿器において、
前記水受部の前記給水口に、通常運転時には開き、前記本体の転倒時には閉じる逆止弁機構を備えたことを特徴とする加湿器。
【請求項２】
前記逆止弁機構は、上部が取り外し自在のフタで覆われた広口部と下部の狭口部を有する保持体と、
この保持体の狭口部内に設けられ、常時上方にバネで付勢される弁部と、
通常は自重により前記弁部を下方に押圧して前記弁部を開かせ、前記本体の転倒時には前記弁部から外れて前記弁部を閉じさせる球体と、
を備えたことを特徴とする請求項１記載の加湿器。
【請求項３】
前記水タンクは落水口を開閉する止水弁を有するタンクキャップを備え、
前記逆止弁機構の前記フタの上面に、前記水タンクをセットしたときに、前記タンクキャップの前記止水弁を押し上げて前記止水弁を開く突起を設けたことを特徴とする請求項２記載の加湿器。
【発明の詳細な説明】
【技術分野】
【０００１】
本発明は、加熱により水を蒸気化する加湿器に係り、特に、転倒時の熱湯流出防止の構造を有する加湿器に関する。
【背景技術】
【０００２】
従来の加熱式の加湿器においては、蒸気を外部に放出する吹出し口、および蒸気と空気を混合する混合室に空気を取り入れる空気通路をそれぞれ開閉する弁を設け、これら弁は通常運転時に本体が設置面にあるときは弁棒が突き上げられることにより開弁しており、転倒時には本体が設置面から離れることにより閉弁することで、本体転倒時の熱湯流出での火傷安全策とする構成になっている。（例えば、特許文献１参照）
【０００３】
【特許文献１】特開２００１−１１６３０２号公報（段落番号００１５〜００２１、図１、図３）
【発明の開示】
【発明が解決しようとする課題】
【０００４】
しかしながら、上記従来の加湿器の場合、加湿器の本体が水タンク側に転倒した際には、本体が傾いて行くときに蒸発皿内の熱湯が給水口を通り水受部側へ逆流し、本体外へ流出する恐れがあった。
【０００５】
本発明は、上記問題点を解消するためになされたもので、本体転倒時に熱湯の流出を防止できる加湿器を提供することを目的とする。
【課題を解決するための手段】
【０００６】
本発明に係る加湿器は、吸気口を有する本体、この本体内に設けられた水タンク、この水タンクからの水を受ける水受部、この水受部の給水口を介して供給された水を加熱する蒸発皿、この蒸発皿内から発生する蒸気を案内する蒸気案内筒、前記吸気口から空気を取り込む送風ファン、この送風ファンから送られる空気を案内する空気案内筒、前記蒸気案内筒からの蒸気と前記空気案内筒からの空気を混合させる混合室及びこの混合室からの蒸気を外部に放出する吹出口を備えた加湿器において、前記水受部の前記給水口に、通常運転時には開き、前記本体の転倒時には閉じる逆止弁機構を備えたものである。
【発明の効果】
【０００７】
本発明によれば、水受部の前記給水口に、通常運転時には開き、前記本体の転倒時には閉じる逆止弁機構を備えたので、転倒時の機体外への熱湯の流出を防ぐことができる。
【発明を実施するための最良の形態】
【０００８】
図１は本発明による実施の形態を示す加湿器の断面図、図２は加湿器の水受部の拡大図である。加湿器は、合成樹脂で成形され側面に吸気口１０を設けた本体１内に、水タンク２が設けられ、水タンク２に落水口４とこの落水口４を開閉する止水弁３０を有するタンクキャップ３が取り付けられている。また、水タンク２内から落水口４を通って供給され、タンクキャップ３により一定水位に保持される水を受け、給水口２７を有する水受部５が設けられている。
【０００９】
水受部５の下部には、図２に示すように、逆止弁機構１６が設けられている。
逆止弁機構１６は、上部に広口部１８ａを有し、側面の導入口１８ｂ、下部に狭口部が設けられた断面略漏斗状の保持体である球体保持体１８と、球体保持体１８の広口部２９に、上面に水タンク２に取り付けられたタンクキャップ３の止水弁３０を押し上げる突起１９ａを有するフタ１９と、球体保持体１８の狭口部内に設けられたリブ状の座受部２０に上下可動に支持されたバルブシャフト２１と、このバルブシャフト２１の下端に設けられ給水口２７を開閉する逆止弁２２と、バルブシャフト２１の上端に設けられた円板２３と座受部２０との間に設けられ逆止弁２２を常時上方に付勢するコイルバネ２４と、通常はバルブシャフト２１の円板２３に載置され、逆止弁２２を自重により下方に押圧して、給水口２７を開とするステンレスで形成された球体１７から構成されている。なお、バルブシャフト２１、逆止弁２２及び円板２３で弁部を構成する。
【００１０】
また、水受部５の逆止弁機構１６の給水口２７に、ゴムホース２６を介して接続され、水受部５から供給された水を加熱体８の加熱により水蒸気を発生させる蒸発皿６が設けられ、蒸発皿６上方には水蒸気を上方に案内する蒸気案内筒９が設けられている。
また、蒸気案内筒９の下には、蒸発皿６の湯量を減らすための耐熱水性樹脂で成形された円錐台形状の湯量低減部材７が設けられており、結果として蒸発皿６内に湯量低減部材７が介在することになる。
また、蒸気案内筒９には低減された湯量を万が一本体が転倒した際に収容できる容積の湯溜め部９ａが設けられ、湯量低減部材７の外周には、湯量低減部材７の形状に倣った形状の蒸発残渣吸着体１３が配設されている。
【００１１】
蒸気案内筒９の上部には、吸気口１０から送風ファン１１により取り込まれ、送出された空気を案内する空気案内筒１２が設けられ、また、蒸気案内筒９から送られてきた蒸気と空気案内筒１２より送られる送風を混合させる混合室１４と、混合室１４からの蒸気を外部に放出する吹出口１５が設けられている。
【００１２】
次に、上記の構成からなる実施の形態の動作について説明する。
水タンク２を本体１にセットすると、水タンク２内の水はタンクキャップ３に備えられている落水口４を通って水受部５に供給されタンクキャップ３により一定水位に保持される。水受部５の下部の逆止弁機構１６は、通常運転時には、球体１７の自重により逆止弁２２が開かれ、水受部５の水は給水口２７、ゴムホース２６を通って蒸発皿６へ水が供給される。
【００１３】
蒸発皿６内の水位は水受部５と同水位で、蒸発皿６底面より５０〜６０ｍｍの高さに保持される。そして、蒸発皿６内には湯量低減部材７があるため、蒸発皿６内の湯量は湯量低減部材７がない場合に比べ絶対量を減らすことができる。
また、湯量低減部材７の外周に設けられた蒸発残渣吸着体１３により、蒸発皿６内の水を蒸発させることにより発生する蒸発残渣は蒸発残渣吸着体１３に吸着される。
【００１４】
蒸発皿６内の水が加熱体８により加熱されて発生した水蒸気は、蒸気案内筒９により上方に案内される。一方、吸気口１０からの空気が送風ファン１１により蒸気案内筒９の上部の空気案内筒１２に案内されている。そして、混合室１４内で、空気案内筒１２に案内された空気と蒸気案内筒９により上方に案内された蒸気が混合され、吹出口１５から外部に放出される。
【００１５】
次に、加湿器を水タンク２側に転倒させた場合の動作につき図３、図４により説明する。
図３は実施の形態の加湿器を水タンク２側に転倒させた場合の水受け部分の断面図、  図４は加湿器を水タンク２側に転倒させた場合の蒸発皿部分の断面図である。
図３に示すように、転倒した際には水受部５の逆止弁機構１６のバルブシャフト２１の円板２３から球体１７が外れるので、コイルバネ２４で押圧された逆止弁２２により、給水口２７が閉じられ、蒸発皿６から給水口２７を通って水受部５へ熱湯が逆流し、水受部５から熱湯が流出することがない。
また、図４に示すように、転倒した際に蒸発皿６内の湯は必ず蒸気案内筒９に設けられた湯溜め部９ａに流れ込むようになっており、３０℃に近い温度の熱湯がそのまま機体外へ流出することがない。
【００１６】
次に、加湿器を蒸発皿６側に転倒させた場合の動作につき図５により説明する。
図５は実施の形態の加湿器を蒸発皿６側に転倒させた場合の断面図である。
図５に示すように、転倒した際には水受部５の逆止弁機構１６のバルブシャフト２１の円板２３から球体１７が外れるので、コイルバネ２４で押圧された逆止弁２２により、給水口２７が閉じられ、水受部５から給水口２７を通って蒸発皿６へ水が流れるのを防止し、水受部５からの水が湯溜め部９ａの熱湯に混ざり、湯量が増えることを防止するので、湯溜め部９ａの容積を減らすことができる。これにより加湿器をコンパクトにできる。
【００１７】
次に、逆止弁機構１６の清掃について図６により説明する。図６は実施の形態の加湿器の逆止弁機構１６の分解図である。
図６に示すように、球体保持体１８上部のフタ１９を外して加湿によって発生した残査物が堆積した場合、球体保持体１８や球体１７等から残査物を取り除く。
【００１８】
以上のように、本実施の形態によれば、水受部５の給水口２７に、通常運転時には開き、本体１の転倒時には閉じる逆止弁機構１６を備えたので、機体外に出た弁棒等による弁を開閉する構成ではないため、通常運転時の水漏れの心配もなく、本体１が転倒した際には水受部５へ熱湯が逆流し、水受部５から熱湯が流出するのを防止することができる。
【００１９】
また、逆止弁機構１６は、上部が取り外し自在のフタ１９で覆われた広口部１８ａと下部の狭口部を有する保持体１８と、この球体保持体１８の狭口部内に設けられ、常時上方にコイルバネ２４で付勢される弁部と、通常は自重により弁部を下方に押圧して弁部を開かせ、本体１の転倒時には弁部から外れて弁部を閉じさせる球体１７と、を備えたので、
フタ１９を取り外し、加湿によって発生した残査物が堆積した場合、球体保持体１８や球体１７等から残査物を取り除くことができる。
また、蒸発皿６内には湯量低減部材７を介在させたことで、蒸発皿６内の湯量は湯量低減部材７が設置されない場合に比べ絶対量を減らすことができるため、蒸気案内筒９の湯溜め部９ａの容積も減らすことができ、本体の外形はより小型で、本体転倒時の機体外への熱湯の流出を防ぐことができ、転倒時に熱湯流出の心配のない安全な加湿ができる。
【００２０】
また、水タンク２は落水口４を開閉する止水弁３０を有するタンクキャップ３を備え、逆止弁機構１６の１９フタの上面に、水タンク２をセットしたときに、タンクキャップ３の止水弁３０を押し上げて止水弁３０を開く突起１９ａを設けたので、タンクキャップ３の止水弁３０を押し上げる突起を本体１に別途設ける必要がない。
【図面の簡単な説明】
【００２１】
【図１】本発明による実施の形態を示す加湿器の断面図である。
【図２】図１の要部拡大図である。
【図３】本発明による実施の形態を示す加湿器の転倒時の水受部の断面図である。
【図４】本発明による実施の形態を示す加湿器の転倒時の蒸発皿部分の断面図である。
【図５】本発明による実施の形態１の加湿器を蒸発皿側に転倒させた状態を示す断面図である。
【図６】本発明による実施の形態１の水受部球体保持器部フタの分解構成図である。
【符号の説明】
【００２２】
１  本体、２  水タンク、３  タンクキャップ、５  水受部、６  蒸発皿、７  湯量低減部材、８  加熱体、９  蒸気案内筒、９ａ  湯溜め部、１０  吸気口、１１  送風ファン、１２  空気案内筒、１３  蒸発残渣吸着体、１４  混合室、１５  吹出口、１６  逆止弁機構、１６ 逆止弁機構、１７  球体、１８  球体保持体、１９ フタ、１９ａ  突起、２２  逆止弁、２４  コイルバネ、２７  給水口、１８ａ  広口部、３０  止水弁。
【図１】
2006189221.tif 000003
【図２】
2006189221.tif 000004
【図３】
2006189221.tif 000005
【図４】
2006189221.tif 000006
【図５】
2006189221.tif 000007
【図６】
2006189221.tif 000008